(57)【要約】    【構成】  帯板１２の両側端部を突き合わせ、係止部１３ｂを係止部１３ａに嵌めて、帯板１２を筒形状にして固定する。この帯板１２の上下端部に蓋１４および底枠１６の嵌合溝２８、３２を嵌めて、組立式雨水浸透ます１０を形成する。    【効果】  施工現場でも組立式雨水浸透ます１０を簡単に組み立てられることにより、帯板１２、蓋１４および底枠１６をそれぞれ嵩張らない形で運搬できるため、組立式雨水浸透ます１０の運搬時の積載効率は優れる。【選択図】  図１
2006124991.tif 000002
【特許請求の範囲】
【請求項１】
上下開口の筒形状に組み立てできる帯板、および
前記帯板の前記筒形状を保持する形状保持部材を備える、雨水浸透ます組立部品。
【請求項２】
前記形状保持部材は、前記筒形状の上部開口および下部開口にそれぞれ嵌まり合う、蓋および底枠を含み、
前記帯板および前記底枠の少なくとも一方に雨水排出用の孔を設けた、請求項１記載の雨水浸透ます組立部品。
【請求項３】
前記帯板に少なくとも１つの接続孔を設けた、請求項１または２記載の雨水浸透ます組立部品。
【請求項４】
前記帯板の突合せ部分を保持する固定具をさらに備える、請求項１ないし３のいずれかに記載の雨水浸透ます組立部品。
【請求項５】
請求項１ないし４のいずれかに記載の雨水浸透ます組立部品を用いた組立式雨水浸透ますであって、
前記帯板を筒形状に組み立て、前記形状保持部材で前記筒形状を保持した、組立式雨水浸透ます。
【発明の詳細な説明】
【技術分野】
【０００１】
この発明は、組立式雨水浸透ますおよび雨水浸透ます組立部品に関し、特にたとえば、治水対策および地下水涵養などを目的として宅地内や駐車場の脇などに埋設される、組立式雨水浸透ますおよび雨水浸透ます組立部品に関する。
【背景技術】
【０００２】
従来の雨水浸透ますの一例が、特許文献１に開示されている。この特許文献１の雨水浸透ますでは、所定の長さに切断した硬質塩化ビニル樹脂管をます本体に用い、これを穿孔してます本体に浸透孔を形成している。
【特許文献１】特開２０００−３０９９７８号公報［Ｅ０３Ｆ  ５／１０、１／００］
【発明の開示】
【発明が解決しようとする課題】
【０００３】
特許文献１の従来技術では、筒形状のます本体が嵩張るため、運搬時の積載効率が良くない。
【０００４】
それゆえに、この発明の主たる目的は、運搬時の積載効率を向上することができる、組立式雨水浸透ますおよび雨水浸透ます組立部品を提供することである。
【課題を解決するための手段】
【０００５】
請求項１の発明は  上下開口の筒形状に組み立てできる帯板、および帯板の筒形状を保持する形状保持部材を備える、雨水浸透ます組立部品である。
【０００６】
請求項１の発明では、たとえば、平たい帯板の両端部を突き合わせて筒形状にし、その帯板に形状保持部材を取り付けて、帯板を筒形状に保持することにより、雨水浸透ますを形成する。
【０００７】
このように、特殊な工具などを使用せずに簡単に雨水浸透ますを組み立てられるため、施工現場でも組み立てることができる。よって、組み立てずに施工現場まで帯板および形状保持部材を運ぶことで、運搬時に嵩張ることなく積載効率を向上させることができる。
【０００８】
請求項２の発明は、形状保持部材は、筒形状の上部開口および下部開口にそれぞれ嵌まり合う、蓋および底枠を含み、帯板および底枠の少なくとも一方に雨水排出用の孔を設けた、請求項１記載の雨水浸透ます組立部品である。
【０００９】
請求項２の発明では、組み立てた雨水浸透ますを地中に埋設すると、雨水は雨水浸透ます内に流入し、その後帯板および底枠の少なくとも一方に設けた雨水排出用の孔から流出して地中に浸透する。
【００１０】
請求項３の発明は、帯板に少なくとも１つの接続孔を設けた、請求項１または２記載の雨水浸透ます組立部品である。
【００１１】
請求項３の発明では、帯板に接続孔を設けておけば、組み立てた雨水浸透ますに孔が形成される。この孔に流入管を嵌め込んで、雨水浸透ますに流入管を接続することができる。
【００１２】
請求項４の発明は、帯板の突合せ部分を保持する固定具をさらに備える、請求項１ないし３のいずれかに記載の雨水浸透ます組立部品である。
【００１３】
請求項４の発明では、帯板の両側端部をそれぞれ固定具に嵌めることにより、帯板の突き合わせ部分は固定されるため、その形状を維持することができる。
【００１４】
請求項５の発明は、請求項１記載の雨水浸透ます組立部品を用いた組立式雨水浸透ますであって、帯板を筒形状に組み立て、形状保持部材で筒形状を保持した、組立式雨水浸透ますである。
【００１５】
請求項５の発明では、請求項１の発明と同様の作用を示す。
【発明の効果】
【００１６】
この発明によれば、嵩張らない雨水浸透ます組立部品を用いて、施工現場で組立式雨水浸透ますを組み立てることにより、雨水浸透ますの運搬時の積載効率は向上する。
【００１７】
この発明の上述の目的，その他の目的，特徴および利点は、図面を参照して行う以下の実施例の詳細な説明から一層明らかとなろう。
【発明を実施するための最良の形態】
【００１８】
図１（Ａ）に示すこの発明の一実施例である組立式雨水浸透ます１０は、帯板１２に蓋１４および底枠１６を嵌めて形成される。
【００１９】
図１（Ｂ）に示す帯板１２は平たい板状体であり、塩化ビニル樹脂などを成形加工して形成される。帯板１２の所定の位置に接続孔２０が形成され、この接続孔２０より下側に多数の小径孔１８がそれぞれ間隔を隔てて設けられる。また、帯板１２の両側端部にそれぞれ鍵型の係止部１３ａ、１３ｂが設けられ、それらの一部に留部、たとえば対応する鋸状の切欠１３ｃ、１３ｄが形成される。
【００２０】
図２（Ａ）および図２（Ｂ）に示す蓋１４は筒形状の蓋枠２４を備え、円形状の蓋板２２が取り付けられる。蓋枠２４および蓋板２２はたとえば、塩化ビニル樹脂などを成形加工して形成される。蓋板２２の全体に複数の孔２６が設けられ、蓋板２２は網状である。蓋枠２４の上面に段差２４ａが設けられ、その段差２４ａに蓋板２２が載せられる。蓋枠２４の底面に円形状の嵌合溝２８が形成される。嵌合溝２８の円周の長さは帯板１２の上端部の長さと等しいまたはそれより少し長く、嵌合溝２８の幅は帯板１２の厚みより少し大きい。
【００２１】
図３に示す底枠１６は筒形状の側壁３１を備え、側壁３１内に貫通孔３０が設けられる。たとえば、塩化ビニル樹脂などを成形加工して形成される。側壁３１の上面に円形状の嵌合溝３２が設けられる。嵌合溝３２は蓋１４の嵌合溝２８と同様で、嵌合溝３２の円周の長さは帯板１２の上端部の長さと等しいまたはそれより少し長く、嵌合溝３２の幅は帯板１２の厚みより少し大きい。
【００２２】
このような雨水浸透ます組立部品１２、１４、１６を施工現場まで組み立てずに運ぶ。そして、図１（Ａ）、図１（Ｂ）および図４に示すように、施工現場で帯板１２の両側端部を突き合わせて筒形状にし、両側端部の係止部１３ａおよび係止部１３ｂを嵌合する。そして、係止部１３ａおよび１３ｂの鋸状の切欠１３ｃ、１３ｄが互いに引っ掛かり、筒形状にした帯板１２が外側へ広がろうとするのを防ぐ。このため、係止部１３ａ、１３ｂは固定具として帯板１２の突合せ部分１２ａを保持して、組立式雨水浸透ます１０の胴体部を形成する。
【００２３】
次に、帯板１２の小径孔形成されている部分を下側にして、帯板１２の上端部に蓋１４の嵌合溝２８を嵌め、帯板１２の下端部に底枠１６の嵌合溝３２を嵌める。これにより、蓋１４および底枠１６は形状保持部材として帯板１２を筒形状に保持する。そして、この組み立てた組立式雨水浸透ます１０を地中に予め設けた掘削孔３３内に配置し、流入管３４を帯板１２の接続孔２０に挿入して接着固定する。最後に掘削孔３３内に土砂を埋め戻す。
【００２４】
そして、雨水などは蓋１４の孔２６や流入管３４から組立式雨水浸透ます１０内に流入して、雨水排出用の孔、つまり帯板１２の小径孔１８や底枠１６の貫通孔３０から地中へ侵入する。
【００２５】
このように、特殊な工具などを使用せずに簡単に組立式雨水浸透ます１０は組み立てられるため、施工現場でも組み立てることができる。よって、施工するまで帯板１２や蓋１４など雨水浸透ます組立部品を組み立てずに運べ、これらは嵩張らないため、組立式雨水浸透ます１０の運搬時の積載効率は向上する。
【００２６】
なお、帯板１２および底枠１６の両方に雨水排出用の孔として、小径孔１８および貫通孔３０を設けたが、小径孔１８および貫通孔３０のどちらか一方にしてもよい。小径孔１８を設けなければ、組立式雨水浸透ます１０内の雨水は主に底枠１６の貫通孔３０から地中へ侵入する。一方、貫通孔３０を設けなければ、雨水は帯板１２の小径孔１８から流出する。
【００２７】
また、係止部１３ａ、１３ｂの代わりに、帯板１２の突合せ部分１２ａを保持する図５に示す固定具３６を用いることができる。固定具３６は断面がＨ型状の棒状部材である。固定具３６の長さＬａは、図６（Ａ）に示すように、帯板１２の側端部の長さＬｂから蓋１４の嵌合溝２８の深さＬｃおよび底枠１６の嵌合溝３２の深さＬｄを引いた長さと等しいまたはこれより短い。凹部３８は先に突起が形成されたＣ字状で、窪みの大きさは図５および図６（Ｂ）に示すように、帯板１２の側端部の大きさより少し大きい。この場合、帯板１２の側端部には溝が形成される。この固定具３６を用いて雨水浸透ますを組み立てる場合、図６（Ａ）および図６（Ｂ）に示すように、まず固定部の突起を帯板の溝に嵌めながら帯板１２の各側端部を固定具３６の凹部３８に挿入して、帯板１２を筒形状にする。次に、帯板１２の上端部および下端部をそれぞれ蓋１４および底枠１６の嵌合溝２８、３２に嵌める。これにより、帯板１２の突き合わせ部分は固定されるため、その形状を維持することができる。
【００２８】
さらに、図３に示す側壁３１に嵌合溝３２を設けた底枠１６を用いたが、図７（Ａ）に示す底枠４０を代わりに用いてもよい。底枠４０は鍔４２が形成された筒形状の側壁４４を備える。鍔４２は側壁４４の一端から外側に向かって立ち上がり、鍔４２の幅は帯板１２の厚みと等しいまたはこれより大きい。この底枠４０の側壁４４内には底枠１６と同様に貫通孔３０が設けられるが、底枠１６と異なり側壁４４に嵌合溝は設けられない。底枠４０を用いて組立式雨水浸透ます１０を組み立てる場合、図７（Ｂ）に示すように、筒形状にした帯板１２の上端部を蓋１４の嵌合溝２８に嵌め、帯板１２の下端部の内面を側壁４４の外面に沿わせながら、帯板１２の下端部の端面を鍔４２の上面に当接させる。このため、側壁４４の外面および鍔４２の上面で形成される部分により帯板１２の下側開口の形状は保持される。
【００２９】
また、この底枠１６と蓋１４とを併用することもできる。たとえば、蓋１４の蓋枠２４をそのまま底枠１６として用いられる。一方、底枠１６の貫通孔３０に蓋板２２や金網など網状の板を取り付ければ、底枠１６を蓋１４として用いられる。
【００３０】
この蓋１４は蓋枠２４に蓋板２２を取り付けて形成されるが、蓋枠２４および蓋板２２を一体成形して蓋１４を形成してもよい。
【００３１】
さらに、帯板１２を円筒形状にし、これを円形状の蓋１４および底枠１６に嵌めて、円筒形状の組立式雨水浸透ます１０を形成したが、帯板１２の組み立て方や蓋１４などの形状を変えることにより、多角形状の組立式雨水浸透ます１０を形成することもできる。たとえば、図８に示すように、帯板１２の内面に側端部に平行の切り込み４６を３本入れて、切り込み４６の部分で帯板１２を曲げると、図９に示すように四角柱状の胴体部が形成される。この上端部および下端部に四角形状に形成した蓋４８および底枠５０を嵌めれば、四角柱状の組立式雨水浸透ます１０が形成される。このとき、帯板１２の係止部１３ａ、１３ｂまたは図５に示す固定具３６など帯板１２の突合せ部分１２ａを保持するものを用いることもできる。
【００３２】
図１０に示すこの発明の他の実施例である組立式雨水浸透ます１０は図１（Ａ）に示す組立式雨水浸透ます１０とほぼ同じであるが、帯板が異なる。これ以外の部分に関しては図１（Ａ）実施例の示す組立式雨水浸透ます１０と同様であるため、説明は省略する。
【００３３】
図１１（Ａ）および図１１（Ｂ）に示す帯板５２はリブ構造を有する板状体である。たとえば、複数の中空部５４を有し、中空部５４の断面は台形状であり、塩化ビニル樹脂など合成樹脂の異形押出により成形される。
【００３４】
また、この帯板５２の所定の位置に穿孔などして接続孔２０が形成され、接続孔２０より下側に多数の小径孔１８がそれぞれ間隔を隔てて設けられる。
【００３５】
組立式雨水浸透ます１０を組み立てる場合、図１０に示すように、帯板５２の両側端部を突き合わせ、筒形状にして組立式雨水浸透ます１０の胴体部を組み立てる。次いで、帯板５２の上端部および下端部に蓋１４および底枠１６の嵌合溝２８、３２を嵌めて、蓋１４および底枠１６により帯板５２の筒形状を保持する
このように、帯板５２は中空部５４の間で曲がるため、組立式雨水浸透ます１０の胴体部を筒形状にしたり、多角形状にしたりすることができる。
【００３６】
そして、帯板５２に中空部５４を形成することにより帯板５２の重量は軽くなる。
【００３７】
なお、実施例１と同様に、図５に示す固定具３６および図６に示す底枠１６を用いることもできる。
【００３８】
図１２に示すこの発明の他の実施例である組立式雨水浸透ます１０は図１（Ａ）に示す組立式雨水浸透ます１０とほぼ同じであるが、帯板１２の形状保持部材が異なる。つまり、図１（Ａ）に示す組立式雨水浸透ます１０では、蓋１４および底枠１６により帯板１２を筒形状に保持したが、図１２に示す組立式雨水浸透ます１０では、３本以上の締付部材により帯板１２を筒形状に保持する。これ以外の部分に関しては図１（Ａ）実施例の示す組立式雨水浸透ます１０と同様であるため、説明は省略する。
【００３９】
締付部材は帯状や紐状のものであり、たとえばステンレスバンド５８である。たとえば、３本のステンレスバンド５８を用いて、筒形状に組み立てた帯板１２の上部および下部の周囲に巻き付ける。そして、ステンレスバンド５８を留め、帯板１２を筒形状に保持して、組立式雨水浸透ます１０を組み立てる
この組立式雨水浸透ます１０の雨水浸透ます組立部品は帯板１２およびステンレスバンド５８であり、これらは平たいため、嵩張らずしかも重ね易く、さらに運搬時の積載効率に優れる。
【図面の簡単な説明】
【００４０】
【図１】（Ａ）はこの発明の一実施例の組立式雨水浸透ますを示す斜視図であり、（Ｂ）は（Ａ）の組立式雨水浸透ますに用いられ得る帯体を示す平面図である。
【図２】（Ａ）は組立式雨水浸透ますに用いられ得る蓋を示す斜視図であり、（Ｂ）は（Ａ）の断面図である。
【図３】組立式雨水浸透ますに用いられ得る底枠を示す断面図である。
【図４】組立式雨水浸透ますを地中に埋設した状態を示す断面図である。
【図５】この発明の他の実施例の組立式雨水浸透ますに用いられ得る固定具を示す斜視図である。
【図６】（Ａ）はこの発明の他の実施例の組立式雨水浸透ますを示す縦断面図であり、（Ｂ）は（Ａ）の横断面図である。
【図７】（Ａ）はこの発明の他の実施例の組立式雨水浸透ますに用いられ得る底枠を示す斜視図であり、（Ｂ）は（Ａ）の底枠を用いた組立式雨水浸透ますの断面図である。
【図８】この発明のさらに別の実施例の組立式雨水浸透ますに用いられ得る帯板を示す斜視図である。
【図９】この発明のさらに別の実施例の組立式雨水浸透ますを示す斜視図である。
【図１０】この発明のさらに別の実施例の組立式雨水浸透ますを示す斜視図である。
【図１１】（Ａ）はこの発明のさらに別の実施例の組立式雨水浸透ますに用いられ得る帯板を示す斜視図であり、（Ｂ）は（Ａ）の断面図である。
【図１２】この発明のさらに別の実施例の組立式雨水浸透ますを示す斜視図である。
【符号の説明】
【００４１】
１０…組立式雨水浸透ます
１２…帯板
１２ａ…突合せ部分
１３ａ…係止受孔
１３ｂ…係止部
１４…蓋
１６…底枠
２０…接続孔
２８、３３…嵌合溝
３６…固定具
５８…ステンレスバンド
【図１】
2006124991.tif 000003
【図２】
2006124991.tif 000004
【図３】
2006124991.tif 000005
【図４】
2006124991.tif 000006
【図５】
2006124991.tif 000007
【図６】
2006124991.tif 000008
【図７】
2006124991.tif 000009
【図８】
2006124991.tif 000010
【図９】
2006124991.tif 000011
【図１０】
2006124991.tif 000012
【図１１】
2006124991.tif 000013
【図１２】
2006124991.tif 000014